Podtech/llm-jp-corpus-v4-ja_patent huggingface dataset:
(57)【要約】      （修正有）【課題】一つの杓子で簡単に効率よく汁と具の掬い分けが出来ることを得る。【解決手段】あらかじめ設定された柄と一体もしくは固定的に取り付けられた碗部の柄の付け根を除く渕円周部に任意の間隔で切り込み隙間を設け、任意の形状に形成することで汁と具を掬い分けが出来るようにする。【選択図】図２
2011224295.tif 000002
【特許請求の範囲】
【請求項１】
あらかじめ設定された柄と一体もしくは固定的に取り付けられた碗部の柄の付け根を除く渕円周部に任意の間隔に任意の幅と切り込み深さで隙間を設け、汁と具を掬い分けができる杓子。
【請求項２】
あらかじめ設定された柄と一体もしくは固定的に取り付けられた碗部の柄の付け根を除く渕円周部に任意の間隔で設けられた隙間と隙間の間に長方形や花びら状、半楕円状など任意の形に形成した汁と具を掬い分けできる杓子。
【発明の詳細な説明】
【技術分野】
【０００１】この発明は、あらかじめ設定された柄と一体もしくは固定的に取り付けられた碗部の柄の付け根部分を除く渕円周部に任意の間隔で切り込み隙間を設け、任意の形状に形成することにより汁と具を簡単に掬い分けが出来るようにした杓子に関するものである。
【背景技術】
【０００２】従来、汁と具を掬い分けるのに各々の杓子を使うか、杓子の一部に穴や網を設けたものがあった。
【発明の開示】
【発明が解決しようとする課題】
【０００３】これは、次のような欠点があった。
汁と具を掬い分けるのに二つの異なる杓子を使って掬い分けしていた。または一つの杓子で掬い分けできるものは掬い分けするのに杓子の一部分でしか掬い分け出来ず不便な点があった。
【課題を解決するための手段】
【０００４】杓子碗部の柄の付け根を除く渕円周部に任意の間隔で任意の深さに切り込んで隙間を設け、その隙間と隙間の間を任意の形状に形成したものである。
【発明の効果】
【０００５】鍋肌に杓子を傾斜した状態で杓子の円周部に設けた切り込みの間の隙間から汁だけを簡単に効率良く取り除き具だけを掬い分けできる。【０００６】杓子を水平に汁に浸すことで碗円周部に設けられた隙間から汁だけが流入して掬い分けできる。【０００７】杓子碗部の柄の付け根部分を除く円周部が使用できるのでより簡単で効率よく汁と具を掬い分けできる。
【発明を実施するための最良の形態】
【０００８】以下、本発明を実施するための最良の形態について説明する。
あらかじめ設定された柄（１）と一体もしくは固定的に取り付けられた碗部（２）の渕円周部に任意の間隔で切り込み隙間（３）を設け、切り込みと切り込みの間（４）は角を丸めた長方形状や花びら、半楕円などの任意の形状で形成したものである。本発明は、以上のような構造である。
【図面の簡単な説明】
【０００９】
【図１】本発明の斜視図である。
【図２】本発明の側面図である。
【図３】本発明の上面図である。
【図４】本発明の具を掬い分けする実施図である。
【図５】本発明の汁を掬い分けする実施図である。
【符号の説明】
【００１０】  １  あらかじめ設定された柄
２  碗部
３  碗渕円周部の切り込み隙間部分
４  碗渕円周部の任意の形状部
【図１】
2011224295.tif 000003
【図２】
2011224295.tif 000004
【図３】
2011224295.tif 000005
【図４】
2011224295.tif 000006
【図５】
2011224295.tif 000007
(57)【要約】【課題】ペンなどを直接ポケットに挿して携帯する特、ペンなどの重みでポケットの形がくずれ、落ちやすく、また、前屈みになった時もペンなどに付いている留め具の効果が弱く落ちてしまう。  本発明は、ペンなどをポケットに安定して携帯するペン立てを提供する。【解決手段】ポケット内に収容されるポケット挿入式ペン立てにおいて、ポケットの入り口でポケットの横幅一杯に水平方向に伸び、厚みが２ｍｍから５ｍｍ程度、高さが５ｍｍから１０ｍｍ程度の細長状の厚増し部を設け、厚増し部の両端に、垂直にポケットの内定に接地するまでの高さを持った軸部を設けたことを特徴とするポケット挿入式ペン立て。【選択図】図１
2011224949.tif 000002
【特許請求の範囲】
【請求項１】
ポケット内に収容されるポケット挿入式ペン立てにおいて、ポケットの入り口でポケットの横幅一杯に水平方向に伸び、厚みが２ｍｍから５ｍｍ程度、高さが５ｍｍから１０ｍｍ程度の細長状の厚増し部を設け、厚増し部の両端に、垂直にポケットの内定に接地するまでの高さを持った軸部を設けたことを特徴とするポケット挿入式ペン立て。
【発明の詳細な説明】
【技術分野】
【０００１】  本発明は、ペンなどをポケットに挿して携帯し易くするペン立てに関するものである。
【背景技術】
【０００２】  従来、ペンなどをポケットに挿して携帯するときは、直接ポケットに挿して携帯する方法が一般的でした。
なお、ペン立てケースにポケット取付具を設けたポケット取付式ペン立てが知られている。（特許文献１参照）このペン立てケースは、ペンケースの上部にペン立て穴を設け、ペンケースの上端にクリップを設け、ペンケースの内部に滑り止めクッションを設け、ペンケースの内部にペン先保護クッションを設けてある。
【先行技術文献】
【特許文献】
【０００３】
【特許文献１】  公開番号  特許公開平１０−１１９４８０
【発明の概要】
【発明が解決しようとする課題】
【０００４】  ペンなどを直接ポケットに挿して携帯する特、ペンなどの重みでポケットの形がくずれ落ちやすく、また前屈みになった時もペンなどに付いている留め具の効果が弱く落ちてしまうことがある。
特許文献１で照会されているポケット取付式ペン立ては、立てることができるペンの太さや本数が限定され、ポケットの膨らみ具合が必要以上に増してしまう。また、構造上部品が４種類以上必要とされるため、部品コスト、組み立てコストなどの製造費がかさんでしまう。
【課題を解決するための手段】
【０００５】  ポケット内に収容されるポケット挿入式ペン立てにおいて、ポケットの入り口でポケットの横幅一杯に水平方向に伸び、厚みが２ｍｍから５ｍｍ程度、高さが５ｍｍから１０ｍｍ程度の細長状の厚増し部を設け、この厚増し部を下方から支えるため、厚増し部の両端に、垂直にポケットの内定に接地するまでの高さを持った軸部を設ける。
以上を特徴とするポケット挿入式ペン立てである。
【発明の効果】
【０００６】  本発明を使用することによって、ペンなどをポケットに挿した時、ペンなどの重みでポケットの形は崩れず、本発明の厚増し部によってペンなどに付いている留め具の効果が十分に発揮できるため、落ちにくくなります。また、ポケットに収まるだけのペンを挿すことができ、長さや太さにおいても、ポケット内に収まるサイズであれば挿すことが可能です。また、部品の素材はアルミ、プラスチック、紙などを使用することができますが、１種類で済むので製造費が安価で済みます。
本発明は、ワイシャツの胸ポケットで使用することを想定していますが、その他のポケットにも応用できます。はさみで切れるような素材を用いれば、ポケットのサイズに合わせて形状を簡単に加工できます。
【図面の簡単な説明】
【０００７】
【図１】本発明の斜視図
【図２】本発明の実施例を示す斜視図
【図３】本発明の別の形状例を示す斜視図
【図４】図３の実施例を示す斜視図
【図５】本発明の他の形状例を示す斜視図
【図６】図５の実施例を示す斜視図
【発明を実施するための形態】
【０００８】  以下、本発明の実施の形態を説明する。
ポケット内に収容されるポケット挿入式のペン立て（１）において、ワイシャツなどのポケットの入り口で横幅一杯に水平方向に伸び、厚みが２ｍｍから５ｍｍ程度、高さが５ｍｍから１０ｍｍ程度の細長状の厚増し部（２）を設け、この厚増し部（２）を下方から支えるため、厚増し部（２）の両端に、垂直にポケットの内定に接地するまでの高さを持った軸部（３）を設ける。
本発明は以上のような構造で、これを実際に使用する場合は、
（イ）厚増し部（２）は、ポケットの入り口の横幅一杯に設けることで、ポケットの形状が崩れない効果があり、厚みを増すことでペンなどを挿したときに外れにくくする効果も発揮する。
（ロ）軸部（３）は、厚増し部（２）を支える効果、ペンなどを挿したときの重さを支える効果及びポケットの形状が崩れない等の効果を発揮する。
（ハ）軸部（３）の形状は、（ロ）の効果を発揮するため、図１、図３及び図５のような形状例が考えられる。
（ニ）図１の形状は、軸部（３）がポケットの両端にあるので、ポケットの中央付近に空間が広くでき、ペンなどをポケットの中央付近に挿すのに適した構造になっている。
（ホ）図３の形状は、軸部（３）がポケットの中央にあるので、ポケットの両サイドに空間が広くでき、ペンなどをポケットの両サイドに挿すのに適した構造になっている。
（ヘ）図５の形状は、軸部（３）がポケット全体に広がっていることで、図１及び図３の形状よりポケットの形状を安定させる効果がある。
（ト）はさみで切れるような素材を用いれば、いろんな種類のポケットサイズに合わせて、簡単に形状加工ができる。
【符号の説明】
【０００９】  （１）ペン立て  （２）厚増し部  （３）軸部
【図１】
2011224949.tif 000003
【図２】
2011224949.tif 000004
【図３】
2011224949.tif 000005
【図４】
2011224949.tif 000006
【図５】
2011224949.tif 000007
【図６】
2011224949.tif 000008
(57)【要約】【課題】  日曜大工や木工、建築内装などの現場でも、規格サイズの積層合板などを使う機会が増えている。家具工場などでは大型のパネルソーが使われるので、長い寸法でも簡単に切断できるが、日曜大工や現場作業では長尺の切断は難しかった。一般的には手持ちの電動丸鋸が使われるのであるが、長尺になるほど正確な切断が難しい。 【解決手段】  そこで、電動丸鋸と電動スライドレールを一体化し、直角に切断できるガイドや、鋸歯回転、鋸スライドの一体型スイッチなどを装備した、携帯用電動スライド鋸を発明した。一般のパネルソーでは切断ガイドは固定であり、合板などを載せ位置決めをして切断する。これらは基本的には直角の切断用である。本発明では、スライドレールに直角なガイドバーがあり、作業者は合板の切断位置にスライドレールをのせ、ガイドレールを密着させ直角を出し、クランプで合板を固定することで切断ができる。【選択図】  図１
2011224778.tif 000002
【特許請求の範囲】
【請求項１】
スライドレールの両端から操作できることを特徴とする、スライドレール、スライド用モーター、電動のこぎり、制御および安全用コントローラ、板の保持具などを一体化した、携帯型の電動スライドパネルソー。
【発明の詳細な説明】
【技術分野】
【０００１】
木工用機器に関する分野 
【背景技術】
【０００２】
電動工具、自動化に関連する技術
【発明の開示】
【発明が解決しようとする課題】
【０００３】
日曜大工や木工、建築内装などの現場でも、規格サイズの積層合板などを使う機会が増えている。それらはおおむね１．８ｍ＊０．９ｍや２．４ｍ＊１．２ｍの規格寸法のもので、いろいろな厚みの物が使われる。家具工場などでは大型の据え付け型パネルソーが使われるので、長い寸法でも簡単に切断できるが、日曜大工や現場作業では長尺の切断は難しかった。移動可能型のパネルソーも存在するが、移動や設置が面倒であり、なにより両者とも高価であり、日曜大工などでは購入は難しい。
一般的には手持ちの電動丸鋸が使われるのであるが、長尺になるほど正確な切断が難しい。また、ガイドにする定規などをしっかり押さえる必要があり、長尺の場合は移動しながら切断するために位置がずれたりすることが多かった。
【課題を解決するための手段】
【０００４】
そこで、電動丸鋸と電動スライドレールを一体化し、直角に切断できるガイドや、鋸歯回転、鋸スライドの一体型スイッチなどを装備した、携帯用電動スライド鋸を発明した。主な機能は縦型パネルソーと変わらないが、携帯型にするためにいろいろな工夫を取り入れた。一般のパネルソーでは切断ガイドは固定であり、合板などを載せ、位置決めをして切断する。これらは基本的には直角の切断用である。本発明では、スライドレールに直角なガイドバーが取り付けてあり、作業者は合板の切断位置付近にスライドレールをのせ、ガイドレールを密着させ直角を出し、クランプで合板を固定することで切断ができる。切断の開始にはスライドの原点側か反対側の切断スイッチを利用することができる。そのため一人での作業でも、反対側を確実に固定できる。
【０００５】
制御用のコントローラは、主に過負荷時の緊急停止や反対側からの操作時の警告および遅延動作などをおこなう。また後退時には鋸歯は回転しないようにロックされる。その上安全確保のため、一方向からしか動作させられないように、起動スイッチには一つの安全キーを入れないと操作出来ないようになっている。そのため二人で操作する場合でも、一方向からしか操作が出来ず、安全が確保できる。
【発明の効果】
【０００６】
この電動スライドパネルソーを利用することで、だれでも簡単に長尺のパネルをまっすぐ切断出来るようになる。しかも、従来二人がかりでおこなっていた作業が一人で可能になる。従来の手動式の電動丸鋸では、まっすぐに進まず前後方向以外の力が鋸歯にかかるため、切断能力が損なわれていた。本スライドパネルソーでは、スライドガイドに沿って鋸歯が移動するため、必ずまっすぐに切断できるので、少ない電力で綺麗な切断ができる。またより綺麗な切断面を得ることもできるし、チップソーの刃が長持ちする。
【０００７】
スライドレールと切断部分の隙間は一定なので、切断部分の採寸も簡単にできる。合板の端部から隙間部分を足した寸法でスライドレールの位置決めをすれば、簡単に一定寸法の合板を切断できる。
安全のため切断スイッチは進行方向に押し続ける必要があり、離せば鋸は停止する。また反対側の停止スイッチを押せば、同じく一時停止する。従って安全に作業ができる。
【産業上の利用可能性】
【０００８】
人件費が高騰する中、現場作業の省力化、低コスト化の計れる電動スライドパネルソーは、建築現場や店舗内装現場のみならず、長尺パネルの切断が必要なあらゆる場所で必要とされる。もちろん、日曜大工などの用途にも対応可能であり、価格も一般のパネルソーに較べると非常に低価格なので、産業上・家庭用含めて利用可能性は大である。 
【図面の簡単な説明】
【０００９】
【図１】機構部分の構成図である。
【符号の説明】
【００１０】
１  スライドレール
２  直角ガイド
３  合板クランプ
４  スライド用電動モーター
５  メイン側操作スイッチ
６  電動鋸
７  反対側操作スイッチ
８  非常停止スイッチ
【図１】
2011224778.tif 000003
(57)【要約】      （修正有）【課題】使用するまな板には当然ながら、汚れや包丁傷などが付き、いくら洗ってもきれいに除去する事は不可能だった。まな板をいつでもきれいで清潔感を与え、除菌の一端をも担う研磨機を提供する。【解決手段】ミニ電動モーター１と取り付け部２と円柱形状の研磨砥石３と回転軸と回転車からなる構造を有し、円筒形状の研磨砥石３と回転軸を取り付け部２に取り付け、まな板の表面を左右にこするようにして汚れや傷などを除去する。【選択図】図１
2011224763.tif 000002
【特許請求の範囲】
【請求項１】
小型電動モーターの回転軸に円柱形状の砥石を取り付けたことを特徴とする。まな板用ミニ電動研磨機。
【発明の詳細な説明】
【技術分野】
【０００１】  本発明は、まな板に付着、発生する汚れ、細菌を取り除くためのミニ電動研磨機に関するものである。
【背景技術】
【０００２】  従来から、まな板は家庭や職場等には不可欠なものであり、長い間の使用により、当然の事ながら、汚れや黒ずみ、包丁傷などが付いたり、見苦しく不衛生になりながちであった。
【発明の概要】
【発明が解決しようとする課題】
【０００３】  まな板は人の健康を預る、重要なものであり且つ、衛生的であらねばならないので、いつでも清潔にしておく必要があった。
【課題を解決するための手段】
【０００４】  本発明は、たわし等では落ち切れない、汚れも落とし、傷を無くすため、円柱形状の砥石を小型軽量の電動モーター回転軸に取り付けたものである。
【発明の効果】
【０００５】  小型軽量化を図り、女性の方でも、いつでも気軽に楽々に使用する事ができ、見た目にも清潔感を与え調理意欲への向上を促し、さらに除菌にも繋がる効果がある。
【図面の簡単な説明】
【０００６】
【図１】本発明の砥石の斜視図
【図２】モーターの側面図
【発明を実施するための形態】
【０００７】  以下、本発明の実施の形態を説明する。
（イ）ミニ電動モーター（１）と取り付け部（２）に研磨砥石（３）回転軸（４）回転車（５）を取り付ける。
本発明は以上の構造である。
本発明を使用するときは、研磨砥石（３）と回転軸（４）を取り付け部（５）に取り付け、まな板の表面を左右にこするようにして汚れや傷を除去するものである。
【符号の説明】
【０００８】  （１）ミニ電動モーター
（２）取り付け部
（３）研磨砥石
（４）回転軸
（５）回転車
【図１】
2011224763.tif 000003
【図２】
2011224763.tif 000004
【図３】
2011224763.tif 000005
【手続補正書】
【提出日】平成22年6月10日(2010.6.10)
【手続補正１】
【補正対象書類名】明細書
【補正対象項目名】０００６
【補正方法】変更
【補正の内容】
【０００６】
【図１】本発明の砥石の斜視図
【図２】砥石の側面図
【図３】砥石と電動モーター取付の斜視図
(57)【要約】【課題】粒状中材が持っている流動感を、不具合な片寄りが無く味わえる就寝用枕を提供する。【解決手段】粒状中材の動きを制御するため、連結部の上下面を連結紐で繋ぎ、両サイドにサイズの異なる二つの弾性体を設けたことを特徴とする粒状中材主体の就寝用枕。【選択図】図１
2011224313.tif 000002
【特許請求の範囲】
【請求項１】
連結紐で連結部の上下面を繋ぐと共に、サイズの異なる二つの弾性体を両サイドに設けたことを特徴とする粒状中材主体の就寝用枕。
【請求項２】
周辺部に連結部を重点的に設け、中央に連結部の空域部を設けた［請求項１］の就寝用枕。
【請求項３】
サイズの異なる二つの弾性体を一体化した［請求項１］の就寝用枕。
【請求項４】
複数の連結部を同じ連結紐で繋げた［請求項１］の就寝用枕。
【請求項５】
中央下面部に棒状弾性体を複数設けた［請求項１］の就寝用枕。
【発明の詳細な説明】
【技術分野】
【０００１】  本発明は就寝時に使用する枕に関するものである。
【背景技術】
【０００２】  従来、粒状中材の枕は中材を多めに充填するか、ユニット化する等して、中材の不具合な片寄りが発生しないようにしていた。
【発明の開示】
【発明が解決しようとする課題】
【０００３】  そのために次のような問題点があった。
（イ）粒状中材が持っている心地良い流動感が味わえなかった。
（ロ）一般に弾力性に乏しく、フイット感に欠けるものが多かった。
本発明は以上の問題点を解決しようとするものである。
【課題を解決するための手段】
【０００４】  枕の両サイドにサイド弾性体を設ける。サイド弾性体の内側下面にサブ弾性体を設ける。各連結部の上下面を連結紐で繋ぎ、中央のスペースに粒状中材を充填する。
本発明は以上の構成よりなる就寝用枕である。
【発明の効果】
【０００５】  粒状中材が本来持っている心地良い流動感を、片寄りの無い状態で味わえる。
フイット性と形状維持機能に優れ、頚椎をしっかりサポートする。
一つの枕で二つの異なる中材の感触が楽しめる。
【発明を実施するための最良の形態】
【０００６】  以下、本発明の実施の形態を説明する。
（イ）枕の両サイドに中央部より少し高く、サイド弾性体（１）を設ける。
（ロ）サイド弾性体（１）の内側下面に、サブ弾性体（２）を設ける。
（ハ）連結紐（３）で連結部（４）の上下面を繋ぎ、中央のスペースに粒状中材（５）を充填する。
本発明は以上の構成よりなっている。
本発明に頭部をのせると、その重みで頭部の両側に押し出た粒状中材（５）は、連結紐（３）で連結部（４）を制御された中、枕の両サイドへと移動する。
ところが枕サイドにはサイド弾性体（１）があるため、やむなく手前のサブ弾性体（２）を収縮し、そこへ押し出た粒状中材（５）の多くを収納する。
収納出来なかった一部の粒状中材（５）は、頭部の両脇に小さな盛り上がり（片寄り）を形成するが、サブ弾性体（２）は未だ受け入れスペースに余裕があるため、頭部が小さな盛り上がりを伴い、サブ弾性体（２）上に来ると更に収縮して、押し出た粒状中材（５）の残りの全てを吸収し収納する。
このため頭部の重みで押し出た粒状中材（５）は全てサブ弾性体（２）内に収納され、不具合な片寄りは枕の表面には姿を現さない。
尚、連結部（４）を不均一に配置したことと、繰り返される各弾性体の収縮復元動作により、粒状中材（５）の流動性と弾力性は確保される。
【図面の簡単な説明】
【０００７】
【図１】本発明の断面図である。
【図２】本発明の平面図である。
【符号の説明】
【０００８】１  サイド弾性体
２  サブ弾性体
３  連結紐
４  連結部
５  粒状中材
【図１】
2011224313.tif 000003
【手続補正書】
【提出日】平成22年10月14日(2010.10.14)
【手続補正１】
【補正対象書類名】図面
【補正対象項目名】全図
【補正方法】変更
【補正の内容】
【図１】
2011224313.tif 000004
【図２】
2011224313.tif 000005
(57)【要約】【課題】足のむくみを就寝中に取り除けるようにし、また、むくみ解消による、脚痩せ、全身のだるさ、肩凝りを解消する。【解決手段】直径２０センチメートルのドーナツ型の円形クッションに足を足首の位置まで入れることにより、いくら寝返りをうっても、どのような角度で寝ても、足は常に心臓より上の位置にあることにより、むくみは解消される。【選択図】図１
2011224320.tif 000002
【特許請求の範囲】
【請求項１】
就寝中に、どんなに寝返りをうっても、どの角度で寝ても、足の位置が常に心臓より上に位置することを可能にすることを特徴とする、足のむくみとりクッション。
【発明の詳細な説明】
【技術分野】
【０００１】本発明は、就寝中に足のむくみを取り除くためのクッションに関する。
【背景技術】
【０００２】足のむくみ取りといえば、元来、マッサージクリームをはじめ、マッサージ機器などがあったが、これらは大多数の人にとっては、一時しのぎの解消に過ぎず、慢性的にむくんでいる人や、むくみが重い人にとっては、就寝前にむくみを和らげても、起床時にはむくみが、戻っていることが多かった。よって、寝起き時に足が重かったり、全身にだるさが残ったり、肩凝りの原因になることも多かった（足の裏、ふくらはぎは第二の心臓と呼ばれている）。また、むくみは放置しておくと、足がどんどん太くなる。【０００３】むくみを取り除くために、就寝時に足元の下にクッションを置いて、足の位置を心臓より高くし、寝るといった方法があった。それによって、血行を良くし、足に溜まった老廃物を取り除くという理論である。
【発明の開示】
【発明が解決しようとする課題】
【０００４】しかしながら，就寝時にクッションを足の下に置くだけでは、たび重なる寝返りにより、足はクッションの上から外れてしまい、結局、クッションを置く意味がなく、起床時には、足のむくみは解消されないままである。【０００５】そこで、本発明は寝返りをうっても、どのような角度で寝ても、足の位置が常に心臓より上に位置することが可能なクッションを提供することを目標とするものである。
【課題を解決するための手段】
【０００６】請求項１に係る発明は、直径２０センチメートルのドーナツ型の空洞型円形クッションを足から通して、足首まで持ってきて、寝ることにより、いくら寝返りを打っても、どの角度で、寝ても常に足は布団から６センチメートル上にあり、心臓より、上に位置することができることを特徴とする。
【発明の効果】
【０００７】請求項１の発明によると、足が、常に心臓より、上の位置にあるため、血行がよくなり、起床時には、むくみが取れる。また、むくみ解消による脚やせ効果や、体全体のだるさが取れたり、肩凝りの解消にもつながる。
【発明を実施するための最良の形態】
【０００８】以下、本発明の最良の実施形態を図面に基づき詳述する。
＜実施形態１＞【０００９】図１の直径２０センチメートルのドーナツ型の空洞型円形クッションを足から通して、足首まで持ってきて寝ることにより、寝返りを打っても、どの角度で、寝ても常に足は布団から６センチメートル上にあり、心臓より、上に位置する。これが血行を促進させ、老廃物除去をし、むくみを取る。また、普通のクッションと、携帯に便利な空気を入れて、膨らますことのできるエア・クッションを用いる。
【図面の簡単な説明】
【０００７】
【図１】は足から通して、足首の部分で装着するクッションの斜視図である。クッションは両足に使用するので、通常は２個、必要である。
【図１】
2011224320.tif 000003
(57)【要約】【目的】  豆腐調理や豆腐パック上蓋の切り取りを安全に素早く綺麗に、大人はもとより子供でも簡単に楽しくできるようにする。【構成】  薄い長方形の、金属板、硬質樹脂板でも好い（図面１）板材の、上下一方、片側に変形切欠部２を形成し切欠部先端を薄く研磨し、物が切れる切断刃にする、此の刃は変形切欠部内に格納状態にあり安全である。又変形切欠部の一部３の、先端を尖らせ鎌状にする、其の３部で手に持った豆腐パックの上蓋の縁に沿わせて切り取る。（図面１）の１胴体部、左右側部４〜５の切断面図、（図２）の、５のように、角を削り手指が切れない程度にした部位で安全に豆腐も切れるようにする。変形切欠部の形状は、（図４）〜（図８）のＡ，Ｂ，Ｃ，Ｄ，Ｅ，の種類の変形切欠刃の形状でも機能、効果は同一である。【選択図】図１
2011224315.tif 000002
【特許請求の範囲】
【請求項１】
長方形の金属、又は硬質樹脂板（図１）１の、上下片方、左右、側部片側に、２のような変形切欠部を設け其の切欠部２を研磨し、切断刃にする、（図１）３、の先を鎌状に尖らせ其れで豆腐パック上蓋脇に刺しこみ、切欠部２の切断刃で豆腐パックを切り開き、取り出した豆腐を（図面２）、５のように豆腐が切れる角度に削り、其の部位で豆腐調理が出来る、（図４）〜（図８）のＡ，Ｂ，Ｃ，Ｄ，Ｅ，の種類の変形切欠刃の機能、効果は上記と同じ、豆腐調理器付きパック上蓋切カッター。
【請求項２】
硬質樹脂板（図１）１の２部を研磨せずに金属刃を使用し請求項１と同一機能、効果の豆腐調理器付きパッく上蓋切カッター。
【発明の詳細な説明】
【技術分野】
【０００１】  この発明は豆腐パック上蓋を安全に、素早く綺麗に切り取るカッターと、豆腐を子供でも安全に調理できる豆腐調理器付きパック上蓋きりカッターに関する。
【背景技術】
【０００２】  従来から豆腐を販売するときは、豆腐自体を水中に保存し其れを売る時に切りわけていた、又は最初から適当な大きさに切り分けて置き、其れを水中に保存して販売していた、ところが最近では衛生状や或いは又流通状の効率化などために大、小を問わず一つずつパックされ販売されている。その為に豆腐調理をする時には、必ずパックより取り出さなければならない、そのためパックより取り出す時には、手で剥ぎ取ることが不可能で必ず危険な刃物である包丁や鋏みなどで切り開く方法しかなく大人はもとより、子供などには危険な技術が現状である。
【発明の概要】
【発明が解決しようとする課題】
【０００３】  上記のような現状技術では危険性をともない、豆腐調理をする時は危険で不安を伴い、難しく緊張をようする方法しかなかった。以上から大人はもとより子供でも、誰でも安全で簡単に素早く、綺麗に豆腐をそのパック依り取り出し豆腐調理が出来る事を課題とする。
【課題を解決するための手段】
【０００４】  本発明は上記するような現状を解決したもので次のようなものである、薄い長方形の金属板、硬質樹脂版でも好い、（図１）板材１の、上下一方側部に変形状の切欠部２を形成し切欠部先端を薄く研磨しパックが切れる切断刃にする、此の刃は変形切欠状内に格納され安全である、また変形切欠状の３を尖らせ鎌状にするその３部、を豆腐パック上蓋脇に刺し込み切断刃２で、パッくの縁に沿わせて移動し切り取る、又此の長方形板材（図２）胴部切断面４〜５、左右側部の片側を手指が切れない程度に角を削り５、のようにし豆腐が切れるようにする。変形切欠部の形状は（図４）〜（図８）で示すＡ，Ｂ，Ｃ，Ｄ，Ｅ，の種類の形状でも好い。
【発明の効果】
【０００５】  本発明は豆腐調理と、豆腐容器パックの上蓋を切り開く時、安心、安全に素早く綺麗に、大人はもとより子供でも安心して豆腐調理ができる。
【図面の簡単な説明】
【０００６】
【図１】  実施例を示す斜視図
【図２】  実施例、図１で示す１部、の胴体切断面図
【図３】  発明の使用例図
【図４】ないし
【図８】  Ａ，Ｂ，Ｃ，Ｄ，Ｅ，の種類の変形切欠部の形態図
【発明を実施するための形態】
【０００７】豆腐パックを手で持ち、［図１］鎌部３、を豆腐上蓋パックの脇の縁に差し込み、縁に沿って移動し切断刃２、で切り取る、切断刃は変形切欠部内に有り、手指を切る心配はなく安全である。その取り出した豆腐を［図２］の、胴体１、の切断面図［図２］の、５で豆腐が切れる、此処は手指などが切れない安全な鈍角にする、包丁のように鋭利でなく危険な刃物を使用せずに安心して安全に素早く綺麗に、大人はもとより子供でも誰でも豆腐調理が出来る。実施形態図、［図４］〜［図８］にあるＡ，Ｂ，Ｃ，Ｄ，Ｅ，の種類の変形切欠刃は本発明の機能、効果は、上記と同じ安心安全の機能効果が得られる。
【図１】
2011224315.tif 000003
【図２】
2011224315.tif 000004
【図３】
2011224315.tif 000005
【図４】
2011224315.tif 000006
【図５】
2011224315.tif 000007
【図６】
2011224315.tif 000008
【図７】
2011224315.tif 000009
【図８】
2011224315.tif 000010
(57)【要約】【課題】バックの中身の量に合せてバックの大きさを変化させる事が出来る【解決手段】バックの外面中心部分にファスナーを付けて、閉じて小さくしたり開いて大きくしたりして中身の量に合して１種類のバックで大、小兼用できる。【選択図】図１
2011224311.tif 000002
【特許請求の範囲】
バック本体の外面中心にファスナーをつける事によって大、小兼用できる特注がある
【発明の詳細な説明】
【図１】
2011224311.tif 000003
【手続補正書】
【提出日】平成22年8月11日(2010.8.11)
【手続補正１】
【補正対象書類名】明細書
【補正対象項目名】全文
【補正方法】変更
【補正の内容】
【発明の詳細な説明】
【符号の説明】バッグの中身の量に合せてバックの大きさを変化させる事が出来る
【図面の簡単な説明】
【図１】バッグの外面中心部分にファスナーを付けて、閉じて小さくしたり開いて大きくしたりして中身の量に合して１種類のバッグで大、小兼用できる。
【手続補正２】
【補正対象書類名】特許請求の範囲
【補正対象項目名】全文
【補正方法】変更
【補正の内容】
【特許請求の範囲】
【請求項１】
バッグ本体の外面中心にファスナーをつける事によって大、小兼用できる特徴がある
バッグの外面中心部分にファスナーを付けて、閉じて小さくしたり開いて大きくしたりして中身の量に合して１種類のバッグで大、小兼用できる。
(57)【要約】【課題】  財布から紙幣を取出し易くするために財布の強度や、耐久力を低下させずに、指の摩擦を増加させた紙幣の取出しが容易な財布を提供することを目的とする。【解決手段】  幣収納部２の外部の折りたたみ時に谷側となる中央部３に、摩擦を増大する粘着材４を設けた摩擦付与部５を設けているので、紙幣を取出す際に指を摩擦付与部５に接触させて、摩擦を増大する粘着材４を指に付着させることが可能となり、粘着材４のために指先の摩擦が増大し、紙幣収納部２からお札を容易に取出すことが可能となり、且つ唾液等を使用しないので清潔感を保つことが可能。【選択図】図１
2011224314.tif 000002
【特許請求の範囲】
【請求項１】
中央において折りたたみ可能で、紙幣収納部を備え、前記紙幣収納部の外部において、折りたたみ時に谷側となる中央部に、摩擦を増大する粘着材を付着させた摩擦付与部を設けた、財布。
【請求項２】
前記摩擦を増大する粘着材をベース部材に設け、前記ベース部材を前記中央部に着脱可能に取り付けた、財布。
【発明の詳細な説明】
【技術分野】
【０００１】  本発明は、紙幣を取り出す際に、指先の摩擦を増大させ取り出し容易な財布に関するものである。
【背景技術】  紙幣を入れた財布から紙幣を取出す際に、指の摩擦が足りず取出にくい場合がある。特に一枚だけ取出す場合が困難で、複数枚をまとめて取り出して、後に財布に戻すという無駄な動作を強いられる場合が生じる。
一般には、紙幣を取出す前に指を唾液で湿らせて指の表面の摩擦を増大させることが行われる。しかしこのような方法は清潔感がなく、また不衛生である。
このため、財布から紙幣を取出し易くするため財布の形状工夫されている。例えば、親指が入るように財布の内側上部に切り欠きを設けるというものがあった（例えば、特許文献１参照。）。
【先行技術文献】
【０００２】
【特許文献１】特開２００５−８７７４９号公報
【発明の概要】
【発明が解決しようとする課題】
【０００３】  しかし財布の上部の形状を変形させると、財布の強度や、耐久力が低下するという課題があった。
本発明は、前記従来の課題を解決するもので、不潔感を起こすこと無く、また清潔感を損ねることなく、さらに強度や耐久力を損ねることなく指の摩察を増大可能な財布を提供することを目的とする。
【課題を解決するための手段】
【０００４】  前記従来の課題を解決するために、本発明の財布は、中央において折りたたみ可能で、紙幣収納部を備え、前記紙幣収納部の外部の折りたたみ時に谷側となる中央部に、摩擦を増大する粘着材を備えた摩擦付与部を設けた構成を有するものである。【０００５】  また、摩擦を増大する粘着材は松ヤニを使用し、これをベース部材に設け、ベース部材を前記紙幣収納部の外部の折りたたみ時に谷側となる中央部に着脱可能に取り付けると更によい。
【発明の効果】
【０００６】  本発明の財布によれば、紙幣収納部の外部の折りたたみ時に谷側となる中央部に、摩擦を増大する粘着材を付着させた摩擦付与部を設けているので、紙幣を取出す際に指を摩擦付与部に接触させて、摩擦を増大する粘着材を指に付着させておくことが可能となり、粘着材のために指先の摩擦が増大し、紙幣収納部からお札を容易に取出すことが可能となる。唾液等を使用しないので清潔感を保つことが可能な財布を提供することが可能となる。
【図面の簡単な説明】
【０００７】
【図１】  本発明の第１実施例に係る財布の斜視図。
【図２】  同財布の平面図。
【発明を実施するための形態】
【０００８】  （実施の形態１）
本発明の実施の形態１を図１および図２により説明する。図１は本発明の実施の形態１の斜視図であり、図２は同平面図である。
本実施の形態１の財布１は、中央ａにおいて折りたたみ可能で、紙幣収納部２を備え、前記紙幣収納部２の外部の折りたたみ時に谷側ｂとなる中央部３に、摩擦を増大する粘着材４を付着させた摩擦付与部５を設けた構成を有する。
【０００９】  また、摩擦を増大する粘着材４は、樹木の松から抽出する松ヤニを使用している。また、松ヤニに替え一般に市販されている指の摩擦を増加させる合成樹脂材料を使用してもよい。また摩擦を増大する粘着材４は紙などのベース部材６などに付着させて、これを財布１に対して取替え可能なように、折りたたみ時に谷側ｂとなる紙幣収納部２の外部の中央部３に着脱可能に取付けている。着脱可能にする方法は、ベース部材６の裏側の財布１に取り付ける面に、一般に使われている粘着材や、マジックテープ、両面接着テープなどを使用する。
【００１０】  また、本実施の形態１では紙幣収納部２のみを設けているが、小銭入れや、カード収納部を設けると。利便性が増す。
【産業上の利用可能性】
【００１１】  本発明の財布は、紙幣収納部の外部の折りたたみ時に谷側となる中央部に、摩擦を増大する粘着材を付着させた摩擦付与部を設けているので、紙幣を取出す際に指を摩擦付与部に接触させて、摩擦を増大する粘着材を指に付着させることが可能となり、粘着材のために指先の摩擦が増大し、紙幣収納部からお札を容易に取出すことが可能となり、且つ唾液等を使用しないので清潔感を保つことが可能で特に高齢者向きの財布等に適用できる。
【符号の説明】
【００１２】１  財布、２  紙幣収納部、３  谷側となる中央部、４  摩擦を増大する粘着材、５  摩擦付与部、６  ベース部材。
【図１】
2011224314.tif 000003
【図２】
2011224314.tif 000004
【手続補正書】
【提出日】平成23年4月23日(2011.4.23)
【手続補正１】
【補正対象書類名】特許請求の範囲
【補正対象項目名】全文
【補正方法】変更
【補正の内容】
【特許請求の範囲】
【請求項１】
中央において折りたたみ可能で、紙幣収納部を備え、前記紙幣収納部の外部において、折りたたみ時に谷側となる中央部に、摩擦を増大する粘着材を露出した状態で付着させた摩擦付与部を設けた、財布。
【請求項２】
前記摩擦を増大する粘着材をベース部材に設け、前記ベース部材を前記中央部に着脱可能に取り付けた、請求項１に記載の財布。
【手続補正２】
【補正対象書類名】明細書
【補正対象項目名】０００９
【補正方法】変更
【補正の内容】
【０００９】  また、摩擦を増大する粘着材４は、樹木の松から抽出する松ヤニを使用している。また、松ヤニに替え一般に市販されている指の摩擦を増加させる合成樹脂材料を使用してもよい。また摩擦を増大する粘着材４は紙などのベース部材６などに付着させて、これを財布１に対して取替え可能なように、折りたたみ時に谷側ｂとなる紙幣収納部２の外部の中央部３に着脱可能に取付けている。着脱可能にする方法は、ベース部材６の裏側の財布１に取り付ける面に、一般に使われている粘着材や、マジックテープ（登録商標）、両面接着テープなどを使用する。
(57)【要約】【課題】  素振り鍛錬時の集中と目標設定のため、ウエイトリングの一部に計数表示機器を設けた、球技用バット速度計付カウンターを提供する。【解決手段】ウエイトリング（１）の外形の一部分にスイングスピードの計測機器（２）を設け、一定のスイングスピードに達すると、カウントされるように設定した、球技用バット速度計付カウンター。【選択図】図１
2011224301.tif 000002
【特許請求の範囲】
【請求項１】
蛍光塗装したウエイトリング（１）の外形の一部分に計測機器（２）を埋め込み、一定のスイングスピード達すると回数及び速度が、また夜間使用時にアラーム音やバックライトで設定表示を可能とした、球技用バット速度計付カウンター。
【発明の詳細な説明】
【技術分野】
【０００１】  この発明は、素振り用バットに回数と速度のセンサーをリング外面に埋め込んだウエイトリングに関するものである。
【背景技術】
【０００２】  従来、素振り用重りと回数計は、別々であった。
【発明の概要】
【発明が解決しようとする課題】
【０００３】  従来、素振り鍛錬の回数を本人自身が頭の中で数えており、誤差や目標が曖昧だった。また、安易に脱着可能なカウンターはなかった。
本発明は、以上のような欠点をなくすためになされたものである。
【課題を解決するための手段】
【０００４】  素振り用ウエイトリング（１）の内部に計数表示機器（２）を設ける。
本発明は、以上の構成からなる球技用バット速度計付カウンターである。
【発明の効果】
【０００５】  素振り用重しとカウンターを一体にしているので、目標回数までの集中力が持続でき、効率的な筋力の強化につながる。また、リングを蛍光塗料で塗装し、計測表示をアラーム音やバックライト付にしたため、夜間使用時の安全性も向上させた。
【図面の簡単な説明】
【０００６】
【図１】  本発明の正面図である。
【図２】  本発明の平面図である。
【図３】  本発明の断面図である。
【発明を実施するための形態】
【０００７】  以下、本発明を実施するための形態について説明する。
ウエイトリング（１）となる樹脂の内径を素振り用バットに合わせてテーパー加工する。
また、外径を角面加工し、外面の一部に計数表示機器（２）をはめ込む。
計数表示機器（２）の表面にラバーシートを装着する。
本発明は、以上のような構造である。
これを使用するときは、素振り用バットにウエイトリング（１）をバット上部より取り付け固定し、計数表示機器（２）の電源を入れ使用する。
【符号の説明】
【０００８】１  ウエイトリング
２  計測機器
【図１】
2011224301.tif 000003
【図２】
2011224301.tif 000004
【図３】
2011224301.tif 000005
(57)【要約】      （修正有）【課題】人体に帯電した健康に有害な働きをする静電気を大地に放電除去する効果があり人体生理作用を自然本来の状態たらしめ健康増進や病気の自然治癒力増強に役立つ人体表面および体内に発生帯電した静電気を大地に放電除去することができる杖を提供する。【解決手段】杖本体２に針金３や導電性ゴムなどの良導体を結合させ構成して杖全体を電気的良導体たらしめる。あるいは杖本体２が金属などの電気的良導体の場合に、杖全体を電気的良導体にするためには、上端手握り部品の部材と地面に接触する下端部の接地部品の部材は導電性ゴムなど電気的良導体の部材を夫々杖本体２の両端に嵌合させて構成する。【選択図】図１
2011224302.tif 000002
【特許請求の範囲】
【請求項１】
木材・竹材・プラスティック材・金属材などの杖において上端の手握り部位と、下端の地面に接する部位を針金等の電気的良導体で繋いで構成する杖。
【発明の詳細な説明】
【技術分野】
【０００１】  人体に発生し且つ帯電する静電気は電圧の高低に関わらず人体生理に悪影響を及ぼす事は周知の事実である。【０００２】  本発明は杖を用いて人体に発生帯電した静電気を大地に放電除去して健康増進に役立てるための杖に関する考案である。
【背景技術】
【０００３】  古来、経験則として、インド・ヒマラヤのヨガの行者が地面に裸足で立つ行法によって、人体に発生蓄積された静電気を放電除去できていて、この行法を健康術としてきた。【０００４】  同じく古来、経験則として、中国に於いても道教僧が裸足で地面に立つ行法によって、人体に発生蓄積された静電気を放電除去できていて、この行法を健康術としてきた。【０００５】  わが国日本に於いても古来、経験則として、農作業や庭仕事において、手が大地に直接触れる事は健康に良いと民間に広く信じられていて、これは手が大地に直接触れる時に人体に発生蓄積された静電気を大地に放電除去できて自ずと健康術となるのである
【発明の開示】
【発明が解決しようとする課題】
【０００６】  いくら健康に良いとされていても、靴や靴下を脱いで裸足で地面に立ったり、裸足で地面を歩くのは現代日常生活においては容易ではない。【０００７】  裸足に代わる容易な放電の手段としては、本発発明による杖を素手で握り大地に杖突くだけで人体に帯電した静電気を大地に放電除去できる。
【課題を解決するための手段】
【０００８】  杖全体を電気的良導体にするためには、杖の本体が木材など電気的不導体の場合は、上端手握り部と地面に接触する下端部を針金あるいは金属板や金属テープなど繋ぎ、電気的導通を確保させて構成する。【０００９】  あるいは杖本体が金属などの電気的良導体の場合に、杖全体を電気的良導体にするためには、上端手握り部品の部材と地面に接触する下端部の接地部品の部材は導電性ゴムなど電気的良導体の部材を夫々杖本体の両端に嵌合させて構成する。【００１０】  なお杖本体が塗装されていて電気的絶縁状態の場合は上端部品および下端部品の嵌合部位の塗装をはぎ取り、金属面を露出して通電性を確保し構成する必要は言うまでもない。【００１１】  杖本体と両端の部品取り付け方法は嵌合のほか、ネジ止めあるいはカシメ止めによってでも導電性は確保することもできる。
【発明の効果】
【００１２】  上述したように本発明による杖は人体に発生して蓄積されて健康に有害な静電気を大地に放電でき、裸足を大地に接触して放電するのと同様の効果があり、病気に対する抵抗力や自然治癒力のある自然本来の人体生理作用を行わせる効果が期待できる。
【発明を実施するための最良の形態】
【００１３】    以下、本発明の実施の形態を図１〜図２に基づいて説明する。
【実施例１】  図１は本発明に於いて杖本体が木製など電気的非伝導物質で構成されている場合の説明である。【００１４】  本発明が木製やプラスティックなど電気的非伝導物質で構成されている杖本体（２）の上端部止め金具と下端部止め金具（４）を針金（３）などの電気的良導体で繋いで電気的導通させる。
【実施例２】  図２は本発明が金属製などの電気的良導体で構成されている場合の説明である。【００１５】  本発明が塗装していない金属製などの電気的良導体で構成されている杖本体（６）の上端部手握り部品（５）の部材は、導電性ゴムなどの電気的良導体を用いて製作する必要がある。【００１６】  下端部接地部品（７）も、同じく導電性ゴムなどの電気的良導体を用いて製作する必要がある。【００１７】  上端部手握り部品（５）と下端部接地部品（７）をそれぞれ杖本体（６）嵌合して通電性を確保する。【００１８】  金属製杖本体（５）が塗装してある場合に於いては、嵌合部分は塗装をはぎ取って、金属面を露出させる事によって嵌合部分の電気的導通が確保できる。【００１９】  上記と同じく金属製杖本体（５）が塗装してある場合に於いては、嵌合部分をネジ止め、あるいはカシメにより嵌合部分の通電性を確保することもできる。【００２０】  本発明の杖本体の材質の何たるを問わない。【００２１】  本発明の杖本体は、長短、長さ固定、あるいは伸縮自在性のものなど形状の如何を問わない。【００２２】  本発明の杖本体は、丸型棒状、角型棒状、異型棒状など形状の如何を問わない。【００２３】  本発明の使用時には、手袋など絶縁物を手に嵌め（はめ）ない事は言うまでもない。【００２４】  実施例では針金（３）を杖本体（２）に巻きつけてあるが、針金（３）は巻きつけずに直線状であっても効能は同じである。
【図面の簡単な説明】
【００２５】
【図１】本発明の杖本体を木製あるいはプラスティックなど電気的非伝導性物質を用いて製作した場合を示した見取り図である。
【図２】本発明の杖本体を金属等電気的良導体を用いて製作した場合を示した見取り図である。
【符号の説明】
【００２６】  １  上部止め金具
２  杖本体
３  針金
４  下部止め金具
５  手握り部品
６  杖本体
７  接地部品
【図１】
2011224302.tif 000003
【図２】
2011224302.tif 000004
(57)【要約】【課題】  ベルトの変形やヒビ、破損を最小にして、なおかつ確実で迅速な脱着が可能な、ベルトの止め具を提供する。【解決手段】  中空の器具でベルトの一部を拘束し、中空の器具の一部にピンを通す穴を開けて、ベルトにもピンの穴を開ける。中空の器具の穴とベルトの穴の一致点で、ピンでその二つを固定すればベルトは確実に拘束される。  押し可動部４を押して、押し可動部先端ガイド９に沿って板バネの先端１０が移動。それと共に板バネ７に固定してるピン６が、ピンの移動の穴１１を通り裏カバー内の空間部１４に移動。空間部８が開いてベルト３を先端から入れる。ベルト３を絞り任意のベルトの穴１２に、押し可動部４の力を緩めてピン６を挿入し、ベルト３を空間部８に固定する。【選択図】図４
2011224306.tif 000002
【特許請求の範囲】
【請求項１】
ベルト３を中空（空間部８）を設けた器具に通し、その中空（空間部８）でベルトの穴１２に、ピンの移動の穴１１からピン６を挿入し、ベルト８を中空（空間部８）内に固定する。ベルト３を中空（空間部８）より排除するには、ピン６をピンの移動の穴１１を通り裏カバー内の空間部１４に移動させる。
以上のごとく構成されたベルトの止め具。
【請求項２】
押し可動部４を押すと、押し可動部先端ガイド９に沿って、板バネの先端１０が移動して、板バネ７に固定されたピン６が、空間部８から裏カバー内の空間部１４に移動する。空間部８にベルト３を通し、押し可動部４の力を緩めて任意のベルトの穴１２に、ぴん６を挿入させる請求項１に記載のベルトの止め具。
【請求項３】
本発明をプラスチックで成形し、組み立てた請求項１及び請求項２に記載のベルトの止め具。
【請求項４】
本発明の本体部分を金属の鋳造により成形し、可動部、ピン６を組み立てた請求項１及び請求項２に記載のベルトの止め具。
【請求項５】
本体１の前面の平面の一部を開放して、ベルトの穴１２が確認できる請求項１及び請求項２に記載のベルトの止め具。
【発明の詳細な説明】
【技術分野】
【０００１】  本発明はベルトの止め具に関するものである。
【背景技術】
【０００２】  従来のベルトの止め具は、大別すると二種類ある。ひとつは四角形か円形の輪にベルトを通して、輪の一端に止めたピンをベルトの穴の入れ、輪とピンの交差によるベルトの止め具。ひとつは鋼板の両端を直角に曲げて、その両端に勾配のある溝を設けて、その溝に止め具としての棒を渡し、鋼板と棒の間にベルトを差し込んで、ベルトの引張る力と、鋼板と勾配のよる棒の締め付ける力によるベルトの止め具が主流であった。
【発明の概要】
【発明が解決しようとする課題】
【０００３】（イ）四角形か円形の輪にベルトを通して、輪の一端に止めたピンをベルトの穴に入れ、輪とピンの交差によってのベルトの止め具は、輪とピンとベルトが直線的に接する。
その接点において、ベルトにかかる引張る力は大であり、ベルトの変形やヒビが生じて消耗が激しく、買い替えの頻度が多かった。
（ロ）鋼板の両端を直角に曲げて、その両端に勾配のあるガイドの溝を設け棒を通した止め具は、材質によって差はあるが、圧力によるベルトの変形が見られた。また、ガイドのストッパーが曖昧で、締めがきつくなりトイレでの急用事に難儀したことがあった。
【課題を解決するための手段】
【０００４】  ベルトの変形やヒビによる破損、締め具としての本来の役割として定点保持するため、ベルトを中空を設けた器具に通し、その中でベルトの穴をベルトに垂直にピンで止める発明である。中空部にピンが垂直に出入りすることにより、ベルトが自由になったり、固定される。図４において、板バネ７に固定されたピン６が、押し可動部４が押されたことにより、空間部８より空間部１４に移動して、空間部８にベルト３を通す。そして任意のベルトの穴１２に、押し可動部４を緩めピン６を挿入してベルト３を固定する。
【発明の効果】
【０００５】  本発明は簡易にベルトの締めや緩めが行えて、更にベルトの変形や傷、破損を最小にして、寿命を延ばす経済性を配慮したものである。
【図面の簡単な説明】
【０００６】
【図１】本発明のベルトの止め具の実施の形態の全体を示す、内側からの斜視図である。
【図２】本発明のベルトの止め具の全体を示す、内側の平面図である。
【図３】本発明のベルトの止め具の全体を示す、正面図である。
【図４】図２と図３の線ａの断面の拡大図である。
【発明を実施するための形態】
【０００７】  本発明のベルトの止め具は、プラスチックでも製造は可能である。耐用を考慮すれば金属が望ましい。そこで金属の板を加工する場合、一枚の金属板により、ベルトの止め具本体１を成形できる。板バネかしめ部１３からピン移動の穴１１を通り、直角に三回まがり、板バネかしめ部１３に接しベルトの止め具の裏カバー５に至る。
板バネ７にピン６を固定して、ピン６をピン移動の穴１１にセット。板バネ７の一端を板バネかしめ部１３に固定してかしめる。
工程は多少前後があっても、直角に三回曲がり、ベルトの止め具裏側カバー５を押し可動部４に合わせ成形する。
【実施例】
【０００８】  ベルト３を通す空間部８を、中空管にかえて使用するとき、ピンの移動の穴１１を開けて、ピン６を固定した板バネ７を板バネかしめ部１３の位置に固定、ベルトの止め具裏カバー５と押し可動部４を取り付ける。【０００９】  板バネ７の変更。板バネ７を同じサイズの鋼板に替え、コイルバネを使用する。【００１０】  板バネ７の変更。板バネ７を曲線的にして、板バネかしめ部１３を廃止する。板バネは凸の様になり、頂点にピン６が固定される。【００１１】  板バネ７の変更。板バネ７を曲線的にして、板バネかしめ部１３を廃止する。板バネはへの字状にして、頂点にピン６を固定する。【００１２】  本発明のベルトの止め具を、プラスチックで成形する。【００１３】  本発明のベルトの止め具を、プラスチックで成形し金属製のバネを併用する。【００１４】  ベルトの止め具本体１の一部変更。空間部８の上面を一部開放して、前面よりベルトの穴１２が見えて、ベルトの穴１２の位置確認が容易になる。【００１５】  本発明のベルトの止め具本体１を、金属の鋳造によって成形して、バネとピンと押し可動部を別に取り付ける。
【符号の説明】
【００１６】１ベルトの止め具本体  ２ベルトの一端の固定部  ３ベルト  ４押し可動部
５ベルトの止め具裏カバー  ６ピン  ７板バネ  ８空間部  ９押し可動部先端ガイド
１０板バネの先端  １１ピンの移動の穴  １２ベルトの穴  １３板バネかしめ部
１４裏カバー内の空間部  ａ断面図の位置
【図１】
2011224306.tif 000003
【図２】
2011224306.tif 000004
【図３】
2011224306.tif 000005
【図４】
2011224306.tif 000006